(57)【要約】【課題】ロータリ耕耘部の上方及び後方を覆うカバーに耕耘した後の土が付着するのを防止する土付着防止板を取り付けたロータリ耕耘装置に関するものである。【解決手段】ロータリ耕耘部の上方をメインカバー１２で覆うと共に、ロータリ耕耘部の後方をリヤカバー１３で覆うロータリ耕耘装置１であって、前記メインカバー１２の内面又はリヤカバー１３の内面のいずれか一方もしくは両方の内面にポリプロピレン等からなる硬質で熱可塑性樹脂を用いて成形された土付着防止板１４，１５を取り付けたものである。【選択図】        図１
2004267164.tif 000002
【特許請求の範囲】
【請求項１】
ロータリ耕耘部の上方をメインカバーで覆うと共に、ロータリ耕耘部の後方をリヤカバーで覆うロータリ耕耘装置であって、前記メインカバーの内面又はリヤカバーの内面のいずれか一方もしくは両方の内面に、ポリプロピレン等からなる硬質で熱可塑性樹脂を用いて成形された土付着防止板を取り付けたことを特徴とするロータリ耕耘装置。
【発明の詳細な説明】
【０００１】
【発明の属する技術分野】
この発明は、ロータリ耕耘部の上方及び後方を覆うカバーに耕耘後の土が付着するのを防止する土付着防止板を取り付けたロータリ耕耘装置に関するものである。
【０００２】
【従来の技術と発明が解決しようとする課題】
従来、トラクタにロータリ耕耘装置を取り付けて圃場の耕耘を行なうが、その際、ロータリ耕耘部の上方及び後方を覆うカバーの内面は塗装してなめらかになっているので耕耘中に泥土等は付着しにくい。しかしながら、長期間使用していると、カバーの内面は耕耘された後の土の衝撃によって塗装が剥がれてしまう。そして、塗装が剥がれてしまうとカバー自体の材質である金属の表面が露出して錆が発生することにより金属の表面が粗雑になってしまう為に、カバーの内面に耕耘作業中の泥土等が付着しやすく、耕耘作業終了後にロータリカバーの内面に付着した泥土等を落す作業が大変面倒であるという問題があった。
また、耕耘中にロータリカバーの内面に泥土等が付着するとロータリ耕耘装置の重量が増大してロータリ耕耘装置を牽引しているトラクタの馬力ロスが大きくなり作業性が悪くなるという問題もあった。
【０００３】
そのため、耕耘部を覆うロータリカバーの内面に土の衝撃で振動可能な空間を形成したゴム等からなる弾性体をバネ部材を介して取り付けることにより、ロータリ耕耘部の耕耘爪によって撥ね上げられた土が弾性体に当たると、弾性体はそのときの衝撃でバネ部材の弾性力に抗して空間の内部側に変形し、その後、弾性体自身の弾性力及びバネ部材の弾性力により弾性体は元の形に復元する。このようにして弾性体はバネ部材の弾性力を利用した弾性変形の繰返しにより発生する振動により、耕耘した土が付着するのを防止するもの（例えば、特許文献１参照）や、耕耘部を覆うロータリカバーの内面にゴム板を取り付けて、ゴム板自体の弾性力によって発生する振動により耕耘した土が付着するのを防止するようにしたものが提案されている（例えば、特許文献２参照）。
しかしながら、特許文献１のゴム等からなる弾性体は土の衝撃で振動可能な空間を形成し、その弾性体を復元する方向に付勢するバネ部材を介してロータリカバーに取り付けているため構造が複雑になると共に、バネ部材を設けることによってコストが高くなるという問題があった。
また、特許文献２のようにロータリカバーの内面に取り付けるゴム板は厚さが薄いと耕耘中の泥土や石等によってゴム板が破れる恐れがある為に、ゴム板の厚さを厚くする必要があり、そうした場合にはゴム板のコストが高くなり、また、厚さが厚いと重量が重くなってロータリカバーの内面に取り付けるには、カバーに対しての取付箇所を増やさなければゴム板自身の重みでゴム板がカバーから外れて垂れ下がってしまい回転する耕耘爪に接触する恐れがあるという問題があった。
【０００４】
また、ロータリカバーの内面に、表面がなめらかなテフロン（登録商標）等の合成樹脂製の土壌附着防止部材を取り付けることによってロータリ耕耘部の耕耘爪によって撥ね上げられた土がロータリカバーの内面に付着するのを防止したものが提案されている（例えば、特許文献３参照）。
このものにおいては、テフロン（登録商標）の重量が重くてロータリカバーの内面に取り付けるには取付箇所を増やして取り付けなければならず、また、コスト的にも他の合成樹脂に比較して高く、なかなか実用的に向かないという問題があった。
【０００５】
【特許文献１】
実開平２−９００６号公報
【特許文献２】
特許第３３２５３８６号公報
【特許文献３】
実開昭４９−１４４７１３号公報
【０００６】
【課題を解決するための手段】
上記問題点を解決するための本発明のロータリ耕耘装置は、ロータリ耕耘部の上方をメインカバーで覆うと共に、ロータリ耕耘部の後方をリヤカバーで覆うロータリ耕耘装置であって、前記メインカバーの内面又はリヤカバーの内面のいずれか一方もしくは両方の内面に、ポリプロピレン等からなる硬質で熱可塑性樹脂を用いて成形された土付着防止板を取り付けたことを特徴としている。
【０００７】
【発明の実施の形態】
図１，図２は本発明のロータリ耕耘装置１の側面図及び背面図である。該ロータリ耕耘装置１は、トラクタ２に連結され、トラクタ２の走行に伴い圃場の耕耘作業を行う従来公知のものであり、トラクタ２側よりＰＴＯ軸３を介して動力が入力されるギヤケース４からパイプフレーム５が左右に突設されており、該パイプフレーム５の一方（左）の外端部にチェーンケース７が、他方（右）の外端部にサイドフレーム８がそれぞれ一体的に取り付けられている。
【０００８】
上記チェーンケース７及びサイドフレーム８は、共に下方に延出せしめられており、該チェーンケース７とサイドフレーム８の下部の間には従来同様爪軸９が回転自在に軸支されている。そして該爪軸９に圃場の耕耘作業を行う耕耘爪１０が複数取り付けられ、爪軸９及び耕耘爪１０等によってロータリ耕耘部を構成している。
【０００９】
上記構造により、ギヤケース４に入力される駆動力がチェーンケース７を介して爪軸９に入力され、該爪軸９がダウンカット方向に回転駆動されロータリ耕耘部（耕耘爪１０）が圃場の耕耘作業を行う。なおギヤケース４の上部にはトップマスト１１が取付けられており、従来同様該トップマスト１１の前端部が、ロータリ耕耘装置１とトラクタとの連結点の１つとなっている。
【００１０】
上記ロータリ耕耘部は、チェーンケース７とサイドフレーム８との間に設けられたメインカバー１２によって上方側が、該メインカバー１２の後方に回動自在に配されるリヤカバー１３によって後方側がそれぞれ覆われている。
【００１１】
そして、メインカバー１２は略円弧状の板で構成され、メインカバー１２の前部は側面視で上方にＬ字状１２ａに折り曲げられると共に、後部はメインカバー１２の下面に段差状のプレート１２ｂを溶接してメインカバー１２の下面を袋状に形成してある。また、メインカバー１２前部のＬ字状１２ａに折り曲げられた板の上には、後面にナットを溶接したＬ字状プレート１２ｃが溶接してある。
そこで、本発明の要旨であるポリプロピレン等からなる硬質で熱可塑性樹脂を用いて成形された土付着防止板１４をメインカバー１２の内面に取り付ける点について説明する。
一般的にポリプロピレンは重量がテフロン（登録商標）等の合成樹脂やゴムに比べて軽く、安価に購入出来る特徴がある。
まず最初に、メインカバー１２後部と段差状のプレート１２ｂによって形成されて出来た袋状の空間に土付着防止板１４の一端を差し込む。次に、該土付着防止板１４の他端をメインカバー１２の内面に沿わせながらメインカバー１２の前部まで持ってきて最後にＶ字状プレート１２ｅを該土付着防止板１４の前下方からＬ字状プレート１２ｃに挟み込んでボルト１２ｄによってメインカバー１２内面の全面にわたって土付着防止板１４を取り付ける。
【００１２】
また、リヤカバー１３にも図３乃至図４のようにポリプロピレン等からなる硬質で熱可塑性樹脂を用いて成形された土付着防止板１５の一端がリヤカバー１３の回動支点１３ａ近傍でリヤカバー１３の内面にＹ字状に構成されたプレート１３ｂ，１３ｃ間に挟持されている。
そして、該土付着防止板１５の中程には凸部１５ａが形成されており、該凸部１５ａを介して締結具１５ｂによってリヤカバー１３の内面に取り付けられている。
【００１３】
以上のようにメインカバー１２の内面及びリヤカバー１３の内面には、表面がなめらかなポリプロピレン等からなる硬質で熱可塑性樹脂を用いて成形された土付着防止板１４，１５が取り付けられているので、耕耘作業中に泥土等がメインカバーの内面１２及びリヤカバー１３の内面に付着するのを極力少なくすることが出来る。したがって、カバーの内面に付着した泥土等によってロータリ耕耘装置の重量が増大して、ロータリ耕耘装置を牽引しているトラクタの馬力がロスして作業性が悪くなることを未然に防止することができる。また、耕耘作業終了後のメインカバー１２の内面及びリヤカバー１３の内面に付着する泥土等の落とし作業を容易に行なうことが出来る。
また、ポリプロピレン自体の重量がテフロン（登録商標）等の合成樹脂やゴムに比べて軽いため、メインカバー１２の内面やリヤカバー１３の内面への取り付けも容易に行なうことが出来る。
そして、ポリプロピレン等からなる硬質で熱可塑性樹脂はテフロン（登録商標）等の合成樹脂やゴムに比べて安価に購入出来る利点がある。
【００１４】
【発明の効果】
本発明は、前記の如く、ロータリ耕耘部の上方をメインカバーで覆うと共に、ロータリ耕耘部の後方をリヤカバーで覆うロータリ耕耘装置であって、前記メインカバーの内面又はリヤカバーの内面のいずれか一方もしくは両方の内面に、ポリプロピレン等からなる硬質で熱可塑性樹脂を用いて成形された土付着防止板を取り付けたことにより、耕耘作業中に泥土等がメインカバーの内面やリヤカバーの内面に付着するのを極力少なくすることが出来る。したがって、カバーの内面に付着した泥土等によってロータリ耕耘装置の重量が増大して、ロータリ耕耘装置を牽引しているトラクタの馬力がロスして作業性が悪くなることを未然に防止することができる。また、耕耘作業終了後のメインカバーの内面及びリヤカバーの内面に付着する泥土等の落とし作業を容易に行なうことが出来る。
また、ポリプロピレン自体の重量がテフロン（登録商標）等の合成樹脂やゴムに比べて軽いため、カバー内面への取り付けも容易に行なうことが出来る。
そして、ポリプロピレン等からなる硬質で熱可塑性樹脂はテフロン（登録商標）等の合成樹脂やゴムに比べてコスト的にも安い利点がある。
【図面の簡単な説明】
【図１】本発明のロータリ耕耘装置をトラクタに装着した状態を示す側面図である。
【図２】図１のロータリ耕耘装置の構成を示す背面図である。
【図３】リヤカバーにポリプロピレン等からなる土付着防止板を取り付けた状態を示す平面図である。
【図４】リヤカバーにポリプロピレン等からなる土付着防止板を取り付けた状態を示す側面図である。
【符号の説明】
１２    メインカバー
１３    リヤカバー
１４    土付着防止板
１５    土付着防止板
【図１】
2004267164.tif 000003
【図２】
2004267164.tif 000004
【図３】
2004267164.tif 000005
【図４】
2004267164.tif 000006